【手続補正書】
【提出日】平成17年10月27日(2005.10.27)
【手続補正１】
【補正対象書類名】明細書
【補正対象項目名】特許請求の範囲
【補正方法】変更
【補正の内容】
【特許請求の範囲】
【請求項１】  （ａ）臭気性成分を含有する雰囲気流出物を、水性ペルオキシ酸処理組成物と接触させ、酸化した臭気性成分をもたらし、そして前記酸化した臭気性成分又は臭気性成分を前記水性処理組成物に溶解させて、臭気性成分又は酸化した臭気性成分を含有している水性処理組成物、及び臭気が減少した流出物をもたらすこと、
（ｂ）前記臭気性成分及び酸化した臭気性成分を含有している水性処理組成物の少なくとも一部を除去すること、並びに
（ｃ）臭気性成分が減少した前記流出物を雰囲気に戻すこと、
を含む、雰囲気流出物から臭気を除去する方法。
【請求項２】  前記水性ペルオキシ酸処理組成物が、前記処理組成物１００万部に対して、約６００重量部未満の残留酢酸を含有している、請求項１に記載の方法。
【請求項３】  前記水性処理組成物が、１〜９０ｗｔ％の酢酸、１〜５０ｗｔ％の過酸化水素、金属イオン封鎖剤、及び１〜４０ｗｔ％の過酢酸を含有する濃縮物を含む、請求項１又は２に記載の方法。
【請求項４】  臭気性成分を含有する雰囲気流出物を、平均滴サイズが２５〜５００μｍである微細化水性ペルオキシ酸処理組成物と接触させること、酸化した臭気性成分をもたらすこと、及び前記酸化した臭気性成分又は臭気性成分を前記水性処理組成物に溶解させて処理された流出物をもたらすこと、及びこの処理された流出物をもう１つの処理工程又は雰囲気に戻すことを含む、雰囲気流出物から臭気を除去する前処理又は後処理方法。
【手続補正２】
【補正対象書類名】明細書
【補正対象項目名】００８８
【補正方法】変更
【補正の内容】
【００８８】
上述の説明、例、及びデータは本発明の方法と組成物の操作を理解するための明らかな基礎を与えている。本発明は様々な特定の様式及び方法で実施することができるが、本発明は特許請求の範囲で示されている。
本発明の態様としては下記の態様を挙げることができる：
（１）（ａ）臭気性成分を含有する雰囲気流出物を、水性ペルオキシ酸処理組成物と接触させ、酸化した臭気性成分をもたらし、そして前記酸化した臭気性成分又は臭気性成分を前記水性処理組成物に溶解させて、臭気又は酸化した臭気を含む水性処理組成物及び臭気が減少した流出物をもたらすこと、
（ｂ）前記臭気及び酸化した臭気を含む水性処理組成物の少なくとも一部を除去すること、並びに
（ｃ）臭気が減少した前記流出物を雰囲気に戻すこと、
を含む雰囲気流出物から臭気を除去する方法。
（２）臭気しきい値成績が２０％以上減少するように、臭気を除去する、上記（１）項に記載の方法。
（３）湿式スクラバー塔において、前記雰囲気流出物を気体流れで垂直に流して、前記水性ペルオキシ酸処理組成物の微細化粒子又は薄い流れに対して向流にする、上記（１）項に記載の方法。
（４）前記水性ペルオキシ酸処理組成物が、前記処理剤１００万部に対して、約６００重量部未満の残留酢酸を含有する、上記（１）項に記載の方法。
（５）前記水性処理組成物が、１〜９０ｗｔ％の酢酸、１〜５０ｗｔ％の過酸化水素、金属イオン封鎖剤、及び１〜４０ｗｔ％の過酢酸を含有する濃縮物を含む、上記（３）項に記載の方法。
（６）２８リットルの雰囲気流出物を、約０．０１〜１０リットルの水性処理溶液と接触させる、上記（３）項に記載の方法。
（７）垂直スクラバー塔において、前記プラント雰囲気流出物を気体流れで垂直に流して、前記水性ペルオキシ酸処理組成物の微細化粒子又は薄い流れに対して並流にする、上記（３）項に記載の方法。
（８）臭気性成分を含有する雰囲気流出物を、微細化水性ペルオキシ酸処理組成物と接触させること、酸化した臭気性成分をもたらすこと、及び前記酸化した臭気性成分又は臭気性成分を前記水性処理組成物に溶解させて処理された流出物をもたらすこと、及びこの処理された流出物をもう１つの処理工程又は雰囲気に戻すこと、を含む雰囲気流出物から臭気を除去する前処理又は後処理方法であって、前記微細化水性ペルオキシ酸処理組成物の平均滴サイズが２５〜５００μｍである雰囲気流出物から臭気を除去する前処理又は後処理方法。
（９）前記微細化水性ペルオキシ酸処理組成物が、前記処理剤１００万部に対して約３０，０００重量部未満の添加されたペルオキシ酸を含む、上記（８）項に記載の方法。
（１０）前記微細化水性過酸処理組成物が、１〜９０ｗｔ％の酢酸、１〜５０ｗｔ％の過酸化水素、金属イオン封鎖剤、及び１〜４０ｗｔ％の過酢酸を含有する濃縮物を含む、上記（８）項に記載の方法。
（１１）２８リットルの雰囲気流出物を、０．０１〜０．１８リットルの水性処理溶液と接触させる、上記（８）項に記載の方法。
（１２）、上記（１）項に記載の臭気を除去する方法、その後で
（ａ）臭気性成分を含有する雰囲気流出物を、微細化水性ペルオキシ酸処理組成物と接触させ、酸化した臭気性成分をもたらし、そして前記酸化した臭気性成分又は臭気性成分を前記水性処理組成物に溶解させて、臭気及び酸化した臭気を含む水性処理組成物をもたらすこと、
（ｂ）前記臭気又は酸化した臭気を含む水性処理組成物の少なくとも一部を除去すること、並びに
（ｃ）臭気が減少した前記流出物を雰囲気に戻すこと、
を含む、雰囲気流出物から臭気を除去する方法。
（１３）臭気性成分を含有する雰囲気流出物を、少なくとも約１００ｐｐｍの過酢酸、少なくとも約１００ｐｐｍの過酸化水素、及び少なくとも約２０ｐｐｍの酢酸を含有する約０．４〜１１リットル／分の微細化水性ペルオキシ酸処理組成物と接触させること、酸化した臭気性成分をもたらすこと、並びに前記酸化した臭気性成分又は臭気性成分を前記水性処理組成物に溶解させること、を含む雰囲気流出物から臭気を除去する前処理又は後処理であって、前記微細化水性ペルオキシ酸処理組成物の平均滴サイズが２５〜５００μｍである雰囲気流出物から臭気を除去する前処理又は後処理。
（１４）（ａ）臭気性成分を含有する雰囲気流出物を、水性ペルオキシ酸処理組成物及び１又は複数の精油と接触させ、酸化した臭気性成分をもたらし、そして前記酸化した臭気性成分又は臭気性成分を前記水性処理組成物に溶解させて、臭気又は酸化した臭気を含む水性処理組成物及び臭気が減少した流出物をもたらすこと、
（ｂ）前記臭気又は酸化した臭気を含む水性処理組成物の少なくとも一部を除去すること、並びに
（ｃ）臭気が減少した前記流出物を雰囲気に戻すこと、
を含む雰囲気流出物から臭気を除去する方法。
（１５）前記精油がテルペンである、上記（１４）項に記載の方法。
（１６）前記テルペンを、シトラール、ショウノウ、α及びβ−ピネン、テルピネオール、リモネン、α及びβ−テルピネン、α及びβ−フェランドレン、セドレン、ゲラニオール、リナロール、ネラール、及びアビエチン酸からなる群より選択する、上記（１５）項に記載の方法。
（１７）前記テルペンを、モノ−、ジ−、トリ−、及びテトラ不飽和オレフィンテルペン類からなる群より選択する、上記（１５）項に記載の方法。
（１８）前記テルペンを、シトラール、ショウノウ、α及びβ−プレン、テルピネオール、及びリモネンからなる群より選択する、上記（１５）項に記載の方法。
（１９）前記精油が、アルデヒドである、上記（１４）項に記載の方法。
（２０）前記アルデヒドを、ベンズアルデヒド及びシンナムアルデヒドからなる群より選択する、上記（１９）項に記載の方法。
（２１）前記水性処理組成物が、１〜９０ｗｔ％の酢酸、１〜５０ｗｔ％の過酸化水素、金属イオン封鎖剤、及び１〜４０ｗｔ％の過酢酸を含有する濃縮物を含む、上記（１４）項に記載の方法。
（２２）前記精油がテルペンである、上記（１４）項に記載の方法。
（２３）前記テルペンを、シトラール、ショウノウ、α及びβ−ピネン、テルピネオール、リモネン、α及びβ−テルピネン、α及びβ−フェランドレン、セドレン、ゲラニオール、リナロール、ネラール、及びアビエチン酸からなる群より選択する、上記（２２）項に記載の方法。
（２４）前記テルペンを、シトラール、ショウノウ、α及びβ−ピネン、テルピネオール、及びリモネンからなる群より選択する、上記（２２）項に記載の方法。
（２５）前記テルペンを、モノ−、ジ−、トリ−、及びテトラ不飽和オレフィンテルペン類からなる群より選択する、上記（１５）項に記載の方法。
（２６）前記精油が、アルデヒドである、上記（１４）項に記載の方法。
（２７）前記アルデヒドを、ベンズアルデヒド及びシンナムアルデヒドからなる群より選択する、上記（２６）項に記載の方法。